(57)【特許請求の範囲】
【請求項１】
ディスプレイの前面に配置される前面板と、この前面板の外形より内側の位置に存在するように貫通穴を設けた切り起こし部が所定間隔毎に複数箇所に配設されるとともにその切り起こし部を設けた位置に切り欠き部を形成した前面キャビネットと、この前面キャビネットの切り起こし部に固定される舌片部が所定間隔毎に複数箇所立設された側壁と前記前面板を前面キャビネットに押圧する前壁とを有する概略Ｌ字形をなす取付金具とを備え、前記前面キャビネットの切り欠き部から前記取付金具の舌片部を挿入して前記切り起こし部に前記舌片部を重ね合わせるとともに、取付ネジにより前記切り起こし部に前記舌片部を固定することにより、前記取付金具の前壁により前記前面板を前記前面キャビネットの前面に押圧固定するように構成したことを特徴とする映像機器用前面板の取付装置。
【発明の詳細な説明】
【０００１】
【発明の属する技術分野】
本発明は、プラズマディスプレイパネル等の前面に配置する映像機器用前面板の取付装置に関する。
【０００２】
【従来の技術】
近年、テレビジョン受信機は、従来のブラウン管タイプとは別に、液晶パネル、プラズマディスプレイパネルという新しいデバイスが開発、実用化され、大きく発展している。特に、プラズマディスプレイパネルは、ブラウン管に比べ、薄く軽量のため、壁掛けの需要が高く、さらなるコンパクト化、軽量化が要望されている。
【０００３】
以下、図面を参照しながら、従来のプラズマディスプレイパネル用前面板の取付構造について説明する。図５及び図６は、従来のプラズマディスプレイパネル用前面板の取付構造を示す水平方向の要部断面図を示す。
【０００４】
図５及び図６において、１１、１６は前面キャビネット、１２は前面板、１３、１７は前面板取付金具、１４は取付ネジ、１５はセルフタッピングネジ用下穴を有する取付用ボスである。
【０００５】
以上の様に構成されたプラズマディスプレイパネル用前面板の取付構造の手順について説明する。まず、図５の場合、前面キャビネット１１の上に前面板１２をのせ、次に前面板取付金具１３を前面板１２の表側にのせ、この状態で前面板取付金具１３に設けた取付用ボス１５に内側から取付ネジ１４で取付けることにより、前面板１２を前面キャビネット１１と前面板取付金具１３とで挟むことで固定している。
【０００６】
図６の場合、前面キャビネット１６の裏側に前面板１２をのせ、次に前面板取付金具１７を前面板１２の裏側にのせ、この状態で前面キャビネット１６に設けた取付用ボス１５に内側から取付ネジ１４で取付けることにより、前面板１２を前面キャビネット１６と前面板取付金具１７とで挟むことで固定している。
【０００７】
【発明が解決しようとする課題】
しかし、前記プラズマディスプレイパネル用前面板の取付構造においては、前面板１２の端面から前面キャビネット１１、１６の外縁までの距離「Ｘ」が長くなる。つまり、プラズマディスプレイパネルを用いたプラズマディスプレイの外形寸法が大きくなるため、本体重量も重くなり、このため壁取付の際には、壁の補強も充分考慮しなければならないという課題が発生する。
【０００８】
このように、プラズマディスプレイにおいては、前面キャビネットの大形化、質量の増大、コストアップ、さらにはそれに付随する各種構造の強度アップ等の問題が発生していた。
【０００９】
【課題を解決するための手段】
この課題を解決するために本発明は、ディスプレイの前面に配置される前面板と、この前面板の外形より内側の位置に存在するように貫通穴を設けた切り起こし部が所定間隔毎に複数箇所に配設されるとともにその切り起こし部を設けた位置に切り欠き部を形成した前面キャビネットと、この前面キャビネットの切り起こし部に固定される舌片部が所定間隔毎に複数箇所立設された側壁と前記前面板を前面キャビネットに押圧する前壁とを有する概略Ｌ字形をなす取付金具とを備え、前記前面キャビネットの切り欠き部から前記取付金具の舌片部を挿入して前記切り起こし部に前記舌片部を重ね合わせるとともに、取付ネジにより前記切り起こし部に前記舌片部を固定することにより、前記取付金具の前壁により前記前面板を前記前面キャビネットの前面に押圧固定するように構成したもので、この構成により、前面板の端面から前面キャビネットの外縁までの距離「Ｘ」を最小にすることができ、コンパクトなデザインを実現することができるとともに、重量を軽減することが可能となる。
【００１０】
【発明の実施の形態】
すなわち、本発明は、ディスプレイの前面に配置される前面板と、この前面板の外形より内側の位置に存在するように貫通穴を設けた切り起こし部が所定間隔毎に複数箇所に配設されるとともにその切り起こし部を設けた位置に切り欠き部を形成した前面キャビネットと、この前面キャビネットの切り起こし部に固定される舌片部が所定間隔毎に複数箇所立設された側壁と前記前面板を前面キャビネットに押圧する前壁とを有する概略Ｌ字形をなす取付金具とを備え、前記前面キャビネットの切り欠き部から前記取付金具の舌片部を挿入して前記切り起こし部に前記舌片部を重ね合わせるとともに、取付ネジにより前記切り起こし部に前記舌片部を固定することにより、前記取付金具の前壁により前記前面板を前記前面キャビネットの前面に押圧固定するように構成したことを特徴とする。
【００１１】
以下、本発明の一実施の形態による映像機器用前面板の取付装置を図１〜図４を用いて説明する。
【００１２】
図１は本発明の一実施の形態による映像機器用前面板の取付装置の要部正面図、図２は図１を切断線Ｓ〜Ｓで切断した要部断面図、図３は図２の組み立て前の要部断面図、図４は図３に示す取付金具を矢印Ａ〜Ａ方向から見た正面図を示す。
【００１３】
図１〜図４において、１は前面キャビネット、２は前面板、３は取付金具、４は貫通穴、５はメネジ、６は切り欠き部、７は切り起こし部、８は舌片部、９は前壁、１０は側壁、１４は取付ネジを示す。
【００１４】
本発明において、前面板２は周囲４辺を前面キャビネット１の前面に取付金具３を用いてそれぞれ押圧固定する構成としている。詳しくは、図１、２に示すように、前面キャビネット１には、前面板２の裏側に対向して所定間隔毎に複数の切り起こし部７が配設されているとともに、その切り起こし部７を設けた位置に取付金具３の舌片部８が挿入される切り欠き部６が形成されている。前記切り起こし部７には貫通穴４が設けられ、その貫通穴４を通して後述の取付金具３のメネジ５に取付ネジが取付けられる。なお、前記貫通穴４は、前面板２の外形より内側の位置に存在するように切り起こし部７に設けられており、その切り起こし部７は所定間隔をあけて複数箇所配置されている。
【００１５】
図３、図４に前面板２を押圧固定するための取付金具３を示している。取付金具３は側壁１０と前壁９を有する概略Ｌ字形をなし、側壁１０の内側には、舌片部８が所定間隔毎に複数箇所立設されている。また、その舌片部８には、前記前面キャビネット１の貫通穴４に対応するようにメネジ５が設けられており、図２に示すように、取付ネジ１４を貫通穴４を通して前記メネジ５に取り付けることにより、前面キャビネット１の切り起こし部７に取付金具３の舌片部８が取付けられるとともに、前面キャビネット１に前面板２が取付金具３の前壁９により押し付けられることとなる。
【００１６】
次に、本発明における映像機器用前面板の取付装置を用いて、前面板を取り付ける手順について説明する。
【００１７】
まず、前面キャビネット１の前面側（視聴者側）に前面板２を搭載する。次に、前記前面板２に重ねて取付金具３をそれぞれ装着する。装着の手順は、前面キャビネット１に設けた切り欠き部６に取付金具３の舌片部８を挿入し、前記切り起こし部７に舌片部８を重ね合せる。その後、取付ネジ１４を貫通穴４を通してメネジ５に螺合させることにより、切り起こし部７に舌片部８を取り付ける。これにより前面板２は、前面キャビネット１に取付金具３により押圧固定される。
【００１８】
【発明の効果】
以上のように本発明は、前面板の端面から前面キャビネットの外縁までの距離「Ｘ」を最小にすることができ、その結果、コンパクトなデザインの実現と映像機器の重量軽減並びにコストダウンを図ることが可能となる。
【図面の簡単な説明】
【図１】  本発明の一実施の形態による映像機器用前面板の取付装置の要部正面図
【図２】  図１を切断線Ｓ〜Ｓで切断した要部断面図
【図３】  図２の組み立て前の要部断面図
【図４】  図３に示す取付金具を矢印Ａ〜Ａ方向から見た正面図
【図５】  従来のプラズマ用前面板の取付構造を示す水平方向の要部断面図
【図６】  従来のプラズマ用前面板の取付構造を示す水平方向の要部断面図
【符号の説明】
１  前面キャビネット
２  前面板
３  取付金具
４  貫通穴
５  メネジ
６  切り欠き部
７  切り起こし部
８  舌片部
９  前壁
１０  側壁
１４  取付ネジ
【図１】
0004258864.tif 000002
【図２】
0004258864.tif 000003
【図３】
0004258864.tif 000004
【図４】
0004258864.tif 000005
【図５】
0004258864.tif 000006
【図６】
0004258864.tif 000007